(57)【要約】【課題】側面に目地材が設けられた床仕上パネル及びそれを躯体床面上に敷設してなる床仕上パネルの設置構造において、躯体床面上に敷設したときに隣接床仕上パネル間の目地幅を容易に均一に揃えることができるようにする。【解決手段】躯体床面１上に施工される床仕上パネル２は、下地板３と、該下地板３上に貼り付けられた石質板４と、石質板４の隣接２辺の側面に接着により取り付けられた軟質目地材５及び硬質目地材６とを備えている。硬質目地材６は石質板側面の下部に配置され、軟質目地材５は上部に配置されている。床仕上パネル２，２の雄実３ａと雌実３ｂとを係合させつつ、硬質目地材６と隣接石質板４の側面とを突き合わせ、石質板４，４間で軟質目地材５を挟圧する。【選択図】図１
2011058325.tif 000002
【特許請求の範囲】
【請求項１】
石質板を下地板に取り付けてなり、該石質板の側面に目地材が設けられている床仕上パネルにおいて、
該石質板の側面の下部に硬質目地材が設けられ、上部に軟質目地材が設けられており、
該軟質目地材の目地幅方向の厚みが硬質目地材の目地幅方向の厚みよりも大きいことを特徴とする床仕上パネル。
【請求項２】
請求項１において、軟質目地材は発泡ゴム又は弾性樹脂よりなることを特徴とする床仕上パネル。
【請求項３】
請求項１又は２において、該石質板は方形であり、その隣接する２側面に前記軟質目地材及び硬質目地材が設けられており、該軟質目地材は、石質板側面の辺方向の一端から他端まで延在していることを特徴とする床仕上パネル。
【請求項４】
請求項３において、硬質目地材も石質板側面の該一端から他端まで延在していることを特徴とする床仕上パネル。
【請求項５】
請求項１ないし４のいずれか１項に記載の床仕上パネルを複数枚、硬質目地材を隣接する床仕上パネルの石質板の側面に突き合わせるように躯体床面に設置し、該床仕上パネルの石質板同士の間で前記軟質目地材を挟圧してなる床仕上パネルの設置構造。
【発明の詳細な説明】
【技術分野】
【０００１】
本発明は、タイル、石板等の石質板を下地板に取り付けてなる床仕上パネルと、この床仕上パネルを躯体床面上に設置した床仕上パネル設置構造に係り、特に石質板の側面に弾性材を設けた床仕上パネルと、その設置構造に関する。
【背景技術】
【０００２】
タイル、天然石板、人工石板などの石質板を下地板に接着剤等によって取り付けた床仕上パネルが特開平３−２７５３４３に記載されている。なお、同号公報ではこの床仕上パネルを石質複合板と称している。
【０００３】
この特開平３−２７５３４３では、下地板同士を突き合わせると石質板同士の間に空の目地間隙が生じるので、下地板が見えてしまい、美観に劣る。また、目地間隙にゴミが溜り易い。
【０００４】
実公昭５２−３０１０５には、複数枚のタイルを整列状態でベニヤ板等に貼着してなるタイルパネルにおいて、該タイルパネルの側面にジョイント目地部を設けることが記載されているが、ジョイント目地部の材質については記載がない。
【先行技術文献】
【特許文献】
【０００５】
【特許文献１】特開平３−２７５３４３
【特許文献２】実公昭５２−３０１０５
【発明の概要】
【発明が解決しようとする課題】
【０００６】
上記実公昭５２−３０１０５では、上記の通り、ジョイント目地部の材質について記載がない。仮に、このジョイント目地部が硬質材料よりなる場合、タイルパネルを敷設したときにジョイント目地部と隣接タイルパネルとの間又はジョイント目地部と隣接タイルパネルのジョイント目地部との間に隙間が生じてしまう。
【０００７】
ジョイント目地部が軟質弾性材料よりなる場合、複数枚のタイルパネルを敷設し、隣接するタイルパネルの側面同士を押し付けた際にジョイント目地部が押し付け力に応じて押し縮められるので、タイルパネル同士の間の目地幅がタイルパネル毎に食い違ったものとなりがちであり、床の目地通りが悪くなる。
【０００８】
本発明は、上記従来の問題点を解消し、側面に目地材が設けられた床仕上パネル及びそれを躯体床面上に敷設してなる床仕上パネルの設置構造において、躯体床面上に敷設したときに床仕上パネル間の目地幅を容易に均一に揃えることができるようにすることを目的とする。
【課題を解決するための手段】
【０００９】
請求項１の床仕上パネルは、石質板を下地板に取り付けてなり、該石質板の側面に目地材が設けられている床仕上パネルにおいて、該石質板の側面の下部に硬質目地材が設けられ、上部に軟質目地材が設けられており、該軟質目地材の目地幅方向の厚みが硬質目地材の目地幅方向の厚みよりも大きいことを特徴とするものである。
【００１０】
請求項２の床仕上パネルは、請求項１において、軟質目地材は発泡ゴム又は弾性樹脂よりなることを特徴とするものである。
【００１１】
請求項３の床仕上パネルは、請求項１又は２において、該石質板は方形であり、その隣接する２側面に前記軟質目地材及び硬質目地材が設けられており、該軟質目地材は、石質板側面の辺方向の一端から他端まで延在していることを特徴とするものである。
【００１２】
請求項４の床仕上パネルは、請求項３において、硬質目地材も石質板側面の該一端から他端まで延在していることを特徴とするものである。
【００１３】
請求項５の床仕上パネルの設置構造は、請求項１ないし４のいずれか１項に記載の床仕上パネルを複数枚、硬質目地材を隣接する床仕上パネルの石質板の側面に突き合わせるように躯体床面に設置し、該床仕上パネルの石質板同士の間で前記軟質目地材を挟圧してなるものである。
【発明の効果】
【００１４】
本発明の床仕上パネル及びその設置構造にあっては、床仕上パネルの石質板側面の下部に硬質目地材が設けられ、上部に軟質目地材が設けられている。床仕上パネルを施工するに際しては、硬質目地材を隣接する床仕上パネルの石質板側面に当接させ、石質板同士の間で軟質目地材を挟圧する。そのため、目地幅は硬質目地材の厚み分に定まることになり、目地通りがよくなる。
【００１５】
本発明では、軟質目地材を石質板同士の間で挟圧して押し縮めるが、硬質目地材については押し縮めない。そのため、床仕上パネルの施工時に床仕上パネルを押し付ける力が小さくて済み、施工能率が向上する。また、軟質目地材は、長期にわたって弾性的に圧縮された状態で目地に存在するようになり、弾性材が長期にわたって石質板にしっかりと挟圧保持されるので、目地切れや、目地の脱落が防止される。
【００１６】
請求項２の床仕上パネルの軟質目地材は、施工時に圧縮されやすく、かつ弾性に富むので、止水性が良好である。
【００１７】
請求項３によると、目地の延在方向の全域において軟質目地材が石質板間で挟圧されており、目地の美観が良好となり、また止水性がさらに良好となる。
【００１８】
請求項４の床仕上パネルにあっては、軟質目地材の全体が硬質目地材によって下側から支えられることになり、軟質目地材が下方に凹むことが防止される。
【図面の簡単な説明】
【００１９】
【図１】実施の形態に係る床仕上パネル及びその設置構造を示す断面図である。
【図２】実施の形態に係る床仕上パネル及びその設置構造を示す断面図である。
【図３】実施の形態に係る床仕上パネルを示す断面図である。
【発明を実施するための形態】
【００２０】
以下、図面を参照して実施の形態について説明する。
【００２１】
第１図は実施の形態に係る床パネル及びその設置構造を示す断面図であり、（ａ）は施工途中図、（ｂ）は施工後の断面図である。第２図及び第３図はそれぞれ別の実施の形態を示す断面図である。
【００２２】
［第１図の実施の形態］
第１図（ａ），（ｂ）の通り、躯体床面１上に施工される床仕上パネル２は、下地板３と、該下地板３上に貼り付けられた石質板４と、石質板４の隣接２辺の側面に取り付けられた軟質目地材５及び硬質目地材６を備えている。硬質目地材６は石質板４の側面のうち下部に設けられており、軟質目地材５は該硬質目地材６の上側に設けられている。
【００２３】
躯体床面１は、根太、合板、コンクリートなどよりなる。なお、躯体床面が根太及び合板など木下地の場合、床仕上パネルの固定は、接着剤と併用して、釘やビス等を用いてもよい。
【００２４】
下地板３としては、合板、珪酸カルシウム板、スラグ石膏板、スレートボード、木質系繊維板、パーティクルボードなどよりなるものが用いられる。下地板３の厚さは５〜１５ｍｍ程度が好適である。
【００２５】
この実施の形態では、下地板３の隣接する２辺（第１及び第２の辺）の側面３ｃに雄実３ａが設けられ、残りの２辺（第３及び第４の辺）の側面３ｄに雌実３ｂが設けられている。この実施の形態では、石質板４の側面と下地板側面３ｃ，３ｄとは面一である。
【００２６】
なお、実部は図示以外の形状であってもよい。例えば、雄実３ａ及び雌実３ｂは、下地板３の厚み方向の途中部分に設けられているが、下部に設けられてもよい。
【００２７】
石質板４としては、陶磁器製タイルや、天然石又は人工石よりなる石板が好適である。石質板４の厚さは２〜１０ｍｍ程度が好適である。
【００２８】
なお、石質板４としてタイルを用いる場合、下地板３とタイルの寸法の一例を挙げると、次の通りである。
（１）  ３００×３００ｍｍの下地板に約３００×３００ｍｍのタイルを張る。
（２）  ３００×６００ｍｍの下地板に約３００×３００ｍｍのタイルを２枚又は約３００×６００ｍｍのタイルを１枚張る。
（３）  ３００×１８００ｍｍの下地板に約３００×３００ｍｍのタイルを６枚又は約３００×６００ｍｍのタイルを３枚張る。
【００２９】
ただし、上記（１）〜（３）の寸法はあくまでも一例であり、本発明を何ら限定するものではない。
【００３０】
軟質目地材５としては、発泡ゴム（例えば発泡ＥＰＤＭ、発泡ＮＲ、発泡ＣＲ、発泡ＮＢＲ、発泡シリコーンゴム）や、弾性樹脂例えば発泡合成樹脂（例えば発泡ポリエチレン、発泡ポリウレタン、発泡ポリ塩化ビニル）、ホットメルト（フォームメルトを含む）などが好適である。また、硬質目地材６としては、ＰＥＴ、塩化ビニル、アクリル樹脂などの硬質プラスチック、ゴムソリッド、低発泡ゴム、低発泡合成樹脂、ホットメルト（フォームメルトを含む）などの樹脂又は木材、アルミ、ステンレスなどの金属等が好適である。
【００３１】
軟質目地材５の２５％圧縮硬さは、０．１〜１０Ｎ／ｃｍ２特に０．１〜５Ｎ／ｃｍ２程度が好ましく、硬質目地材６の２５％圧縮硬さは２０Ｎ／ｃｍ２以上が好ましい。
【００３２】
軟質目地材５及び硬質目地材６は、下地板３の雄実３ａを有する側面３ｃの上側に位置する石質板４の２側面の全長にわたって設けられている。
【００３３】
硬質目地材６の上下方向の厚さは石質板４の厚さの１０〜５０％特に２０〜４０％程度が好適である。硬質目地材６の上面は石質板４の上面よりも下位に位置している。軟質目地材５及び硬質目地材６はそれぞれ粘着剤又は接着剤又は素材の自着性によって石質板４の側面に付着されている。この実施の形態では、軟質目地材５の下面と硬質目地材６の上面とは、重なってはいるが、接着されてはいない。ただし、接着されていても構わない。なお、軟質目地材５と硬質目地材６とは当接していることが好ましいが、両者間に隙間があいていてもよい。
【００３４】
軟質目地材５は、その上面が石質板４の上面から下方へ所定距離だけ後退するように設けられており、床仕上パネル２，２を突き合わせて施工したときに軟質目地材５が目地間隙から上方へはみ出すことを防止している。
【００３５】
硬質目地材６の目地幅方向の厚さは、実質的に、施工完了時における目地間隙寸法となる。施工前の状態における軟質目地材５の目地幅方向の厚さは施工完了時における目地間隙寸法の１．５〜４倍特に２〜３倍程度が好ましい。
【００３６】
各床仕上パネル２を躯体床面１上に施工するには、第１図（ａ）のように、躯体床面１上に複数枚の床仕上パネル２を各々の下地板３，３間に間隙があくように載置する。
【００３７】
次いで、床仕上パネル２を押して移動させ、床仕上パネル２，２の雄実３ａと雌実３ｂとを係合させつつ、下地板３，３同士をさらに接近させる。
床仕上パネル２の躯体への固定は、基本的に接着剤で行う。釘、ビスをその際の仮固定に使用してもよい。
【００３８】
床仕上パネル２，２同士を突き合わせた状態では、それらの間の目地間隙に軟質目地材５が挟圧された状態で配置されており、下地板３は視認されず、美観が良い。また、止水性が向上すると共に、目地間隙にゴミ等が溜ることも防止される。
【００３９】
この実施の形態では、硬質目地材６を目地間に介在させているので、目地間隙寸法は均一であり、目地通りの良い仕上りとなる。
【００４０】
この実施の形態では、石質板４，４間で軟質目地材５が大幅に圧縮され、長期にわたって弾性的に石質板４，４間に介在する。これにより、軟質目地材５の弾性率が低下してきたときや、何らかの原因によって目地間隙が拡大したときでも、軟質目地材５が弾性的に膨張可能な状態で目地間隙に存在するようになり、目地切れが防止されると共に、軟質目地材５が取れることが防止される。
【００４１】
また、軟質目地材５は、圧縮するのに要する力が小さいので、床仕上パネル２，２同士を突き合わせる作業労力が軽減される。
【００４２】
この実施の形態では、軟質目地材５及び硬質目地材６を石質板の２側面の全体に設けているので、目地の全域に軟質目地材５が存在し、美観が良い。また、軟質目地材５の全体が硬質目地材６によって下側から支えられることになり、施工後に軟質目地材５が上から強く押されても凹むことがない。
【００４３】
［第２図の実施の形態］
第２図の床仕上パネル２Ａでは、石質板４は、下地板３の雄実３ａを有する側面３ｃから、下地板３の板央側へ所定距離、好ましくは１〜６ｍｍ特に好ましくは２〜３ｍｍ程度後退している。また、石質板４は、雌実３ｂを有する下地板の側面３ｄから側方へ張り出している。この石質板４の張り出し長さは、石質板４の上記雄実３ａの辺縁からの板央側への後退距離よりも小さいものとなっている。
【００４４】
第２図のその他の構成は第１図と同一であり、（ａ）は床仕上パネルの施工途中の断面図、（ｂ）は床仕上パネルの施工後の断面図である。第２図（ｂ）の通り、下地板３から張り出した石質板４の端部は、隣接する第２図（ｂ）の右側の床仕上パネル２Ａの下地板３の上面に重なる。この石質板４の側面が右側の床仕上パネル２Ａの硬質目地材６に当接するように、第２図（ｂ）の左側の床仕上パネル２Ａを接近させて施工する。施工手順は第１図の場合と同じである。
【００４５】
この第２図の実施の形態でも第１図の実施の形態と同様の効果が奏される。
【００４６】
［第３図の実施の形態］
上記実施の形態では、軟質目地材５と硬質目地材６とが別体であるが、第３図のように、軟質目地材部７ａと硬質目地材部７ｂとが一体となった目地材７を用いてもよい。
【００４７】
上記実施の形態はいずれも本発明の一例であり、本発明は図示以外の形態とされてもよい。
上記実施の形態では、雄実３ａ側の石質板側面に目地材５，６，７を設けているが、雌実側の石質板側面に目地材を設けてもよい。
目地材５，６，７は予め床仕上パネル製造工場で石質板４に付着させておいてもよく、施工現場で石質板４に付着させてもよい。
【符号の説明】
【００４８】
１  躯体床面
２，２Ａ  床仕上パネル
３  下地板
４  石質板
５  軟質目地材
５ａ  軟質目地材部
６  硬質目地材
７  目地材
【図１】
2011058325.tif 000003
【図２】
2011058325.tif 000004
【図３】
2011058325.tif 000005